(57)【要約】【課題】開閉スペースをとらず、開放時にボックス内側に収納される扉開閉機構を提供する。【解決手段】開閉扉の縁辺ブラケット長手方向中間部に回動支店と第２の枢支部を形成する。円弧カム面と係止凹部を連設したカムプレートを前記開閉扉の中間部に向けてボックスの側板に固定する。カムプレートの円弧カム面と同心的に回動プレートを回動可能に枢支し、先端部支点を前記開閉扉の回動支点に枢着する。開閉扉とカムプレート間に摺動部材を係合させ、前部を開閉扉に枢着した摺動部材の後部を前記カムプレートの係止凹部からカム面係合位置へ往復移動可能に嵌合する。摺動駒で開閉扉が所定傾斜に自転回動した後、回動プレートで開閉扉が公転回動してボックスの上部内側へ収納される。【選択図】図１
2005299231.tif 000002
【特許請求の範囲】
【請求項１】
ボックスの開閉口に配置され、縁辺ブラケットの長手方向中間部に回動支点を形成するとともに、この回動支点から離隔した長手方向位置に第２の枢支部を形成した開閉扉と、
円弧カム面の端部に係止凹部を連設し、この円弧カム面と係止凹部を前記開閉扉に向けてボックスの側板に固定したカムプレートと、
前記カムプレートに同心的に回動可能に枢支され、先端部側支点を前記開閉扉の回動支点に枢着した回動プレートと、
後部に前記カムプレートの係止凹部に係合する係止部とカム面に摺接する摺動面を有するとともに前部を前記扉の第２枢支部に枢着し、且つ回動プレートに一体回動可能に係着した摺動部材と、
を具備し、摺動部材を前記カムプレートの係止凹部に係合させた位置で開閉扉を開閉口の閉位置に係止させ、開閉扉の上端側を所定角度ボックス内側に回動させて摺動部材摺動面をカムプレートのカム面位置に移動させた後、回動プレートの回転とともに開閉扉を回動させてボックスの内側へ引込むようにしたことを特徴とするボックスの開閉扉機構
【請求項２】
摺動部材が、前記回動プレートの軸方向に凹凸係合ガイドを介して摺動可能に配設され、このガイドとの係合を介して後端が前記カムプレートの係止凹部からカム面位置へ往復移動するとともに、先端側支点を前記開閉扉の第２枢支部に枢着した摺動駒であることを特徴とする請求項１記載のボックスの開閉扉機構
【請求項３】
摺動部材が、後部に前記カムプレートの係合凹部に係合する係止片とカム面に係合する曲面を有し、前部を前記開閉扉の回動支点と第２枢支部に枢着した摺動ブラケットであることを特徴とする請求項１記載のボックスの開閉扉機構
【請求項４】
回動プレートの回転基部に回動プレートを扉の開方向又は閉方向に付勢するバネを介装したことをさらに特徴とする請求項１、２又は３記載のボックスの開閉扉機構
【発明の詳細な説明】
【技術分野】
【０００１】
本発明は函体開口部を扉で開閉するメールボックスなどの扉の開閉機構に関し、詳細には扉を連続的に自転・公転させて開口部を開閉する機構に関する。
【背景技術】
【０００２】
蝶番で取付けた扉を回動して開口部を開閉する函体は構造が単純で操作が簡単なところから様々な分野に応用され、一般家庭のメールボックスなどにも広く利用されている。
【発明の開示】
【発明が解決しようとする課題】
【０００３】
この種のボックスは扉を開閉する際に、扉全体が縁辺の蝶番を支点にして開口部の前方に回動するためスペースが必要になる。マンションなどの大型集合住宅ではエントランス付近の所定のスペースに全戸のメールボックスを向い合わせで配置するため郵便物の取出しに不便をきたすことが多い。
さらに、蝶番扉は開放中は揺動するため邪魔になり、上ヒンジの場合は手で支えていなければならないといった煩わしさがある。
【０００４】
また、メールボックスはステンレスなどの金属プレートでできているため、蝶番付け扉は開け閉めの衝突音が生じ、多数のメールボックスが絶え間なく開閉するところでは騒音問題となっている。
【０００５】
従って、本発明の第１の目的は扉開閉時の前方スペースを小さくして開放時は扉がボックス内部の壁際に引込まれて収納され、且つ、開閉時に騒音が生じない扉開閉機構を提供することにある。
【０００６】
本発明の第２の目的は、扉が自動的に開放位置又は閉鎖位置に付勢される前記扉開閉機構を提供することにある。
【課題を解決するための手段】
【０００７】
上記第１の目的を達成するために、本発明の扉開閉機構は、ボックスの開閉口に配置され、縁辺ブラケットの長手方向中間部に回動支点を形成するとともに、この回動支点から離隔した長手方向位置に第２の枢支部を形成した開閉扉と、円弧カム面の端部に係止凹部を連設し、この円弧カム面と係止凹部を前記開閉扉に向けてボックスの側板に固定したカムプレートと、前記カムプレートに同心的に回動可能に枢支され、先端部側支点を前記開閉扉の回動支点に枢着した回動プレートと、後部に前記カムプレートの係止凹部に係合する係止部とカム面に摺接する摺動面を有するとともに前部を前記扉の第２枢支部に枢着し、且つ回動プレートに一体回動可能に係着した摺動部材と、を具備し、摺動部材を前記カムプレートの係止凹部に係合させた位置で開閉扉を開閉口の閉位置に係止させ、開閉扉の上端側を所定角度ボックス内側に回動させて摺動部材摺動面をカムプレートのカム面位置に移動させた後、回動プレートの回転とともに開閉扉を回動させてボックスの内側へ引込むようにしたことを特徴とする。
【０００８】
上記第２の目的を達成するために、本発明は上記開閉機構において、さらに、回動プレートの回転基部に回動プレートを扉の開方向又は閉方向に付勢するバネを介装したことを特徴とする。
【発明の効果】
【０００９】
回動支点を回動プレートに枢支した扉は、摺動駒がカムプレートの係止凹部に係合しているときはボックス開口部を閉鎖し、開放不能に保持される。
【００１０】
扉の錠前を解錠して一端側（下側）を手前に引くと扉は回動支点を中心に所定角度自転し、扉の他端はボックスの壁に干渉されることなく内側に回動して傾斜する。これに伴なって、摺動駒が係止凹部から引かれ、カム面に摺動可能となる。この傾斜姿勢で扉を回動プレートとともにさらに回動させると扉は回動プレートの枢支部を中心に公転し、ボックス内部の内壁に沿って引込まれるように収納され、ボックスの開口部は全開となる。また、逆の操作で扉を公転→自転させると同じ軌道で閉鎖位置に復帰する。したがって、扉の開閉時に前方スペースをとらず、また、開閉の際に扉が衝突しないので騒音が生じない。
【００１１】
回動プレートを所望の回動方向へ付勢させることにより、扉の開閉操作が楽になり使い勝手が良くなる。
【発明を実施するための最良の形態】
【００１２】
以下、本発明の実施例を添付の図面に基づいて説明する。
図１は本発明の扉開閉機構を使用したメールボックスの第一実施例の縦断面であり、この実施例のメールボックス１は四角い函体の一側に郵便物の投入口２を設け他側の取出し開閉口３に開閉扉４を設けた型式のメールボックスを例示している。
【００１３】
本発明によるボックスの扉開閉機構は、ボックス１の開閉口３を開閉する開閉扉４、とボックスの側板５ａ及び／又は５ｂに固定されたカムプレート６と、回転基部をカムプレート６の中心面と同心に配設された回動プレート７と、回動プレート７に一体回動可能に係着され、カムプレート６に脱着可能に係合する摺動部材８を具備している。
【００１４】
前記開閉扉４は側面側ブラケットの長手方向中間部、好ましくは中央に回動支点９となるピン孔を有するとともに、この回動支点９から長手方向下方に隔離した位置に第２の枢支部となる枢軸１０を突設してある。
【００１５】
カムプレート６は図２に示すように、円弧カム面１１の端部に係止凹部１２を連設した構成になり、円弧カム面１１と係止凹部１２の連設境界を前記開閉扉４の中間部に向けてボックス１の側板５ａ、５ｂに固定してある。筒号２９はカムプレート６の固定部を示している。尚、図１は図１１に示すようにカムプレート６の底面を手前側の側板５ｂに固定した場合を示している。
【００１６】
また、図２に示すように、カムプレート６はその上面に、後述する回動プレート７の回転基部開口部１３の円形縁１４を回転可能に外嵌合する円弧突条１５を一体に形成してあるとともに、この円弧突条１５に、後述する押え盤１６を一体に固定するためのネジ孔などの係合部１７を設けてある。
さらに、カムプレート６の円弧突条１５の内側に円弧凹溝１８を形成してある。
【００１７】
回動プレート７は、前記カムプレート６のカム面１１と同心になるようにしてカムプレート６に回動可能に枢支され、先端部のピン１９を前記開閉扉４の回動支点９となるピンに枢着してある。
図の実施例は回動プレート７の基部回転開口部１３の円形縁１４をカムプレート６の円弧突条１５に外側から嵌合し、カムプレート６に対して回動可能に枢支してある。
また、図１の実施例では、回動プレート７の回動中心位置Ｐは該中心位置Ｐから扉４の外壁までの距離が、扉４の回動支点９から扉４の上端までの距離とほぼ等しい位置に設定してある。
【００１８】
図１の実施例の回動プレート７は、図３のように先端側に所定の巾を有し、軸線から外れた位置に後述する摺動駒８’を摺動可能に係合する凸ガイド２０を軸線と平行に突設してある。
【００１９】
図１実施例の摺動部材８は、図４に示すように、先端に前記扉４のピン１０に遊嵌状に係合するピン孔２１を有するとともに、その後方軸方向に前記回動プレート７の凸ガイド２０に係合して摺動する長孔２２を形成してあり、図１のように先端ピン孔２１を扉４のピン１０に遊嵌し、長孔２２を回動プレート７の凸ガイド２０に係合させて回動プレート７面の軸方向に沿って摺動可能に配置された摺動駒８’で構成されている。
尚、図の実施例は回動プレート７に凸ガイド２０を形成し、摺動駒８’に長孔２２を形成しているが、これと逆にしても良い。
【００２０】
前記摺動駒８’の寸法及び長孔２２と凸ガイド２０の位置関係は、扉４が閉鎖位置にあるとき摺動駒８’の下部がカムプレート６の係合凹部１２内に係合し、摺動駒８’を前方に引いて扉４を回動支点９を支点にして所定角度回転（自転）させるときに摺動駒８’の後端がカムプレート６の係合凹部１２から外れ、カム面１１と摺動可能の位置に変位するように組込まれている。このためカム面１１の端は丸みを付けるのが望ましい。
尚、扉４の自転角度は摺動駒８’の摺動ストロークで規制するのが望ましく、図では３０°角に設定してある。また、カム面１１に摺接する摺動駒８’の当接面はカム面１１とほぼ同じ曲率の凹曲面に形成し、円滑に摺動するようにする。
【００２１】
押え盤１６はカムプレート６の円弧突条１５に係着部２３を介して一体固定されるものである。
【００２２】
回動プレート７の円形縁１４の内側中央部にカムプレート６の円弧突条１５の両端部２４ａ、２４ｂに係止されて回動角度が規制（図の実施例では６０°）される係合プレート２５が一体に形成されているとともに、係合プレート２５先端にカムプレートの円弧凹溝１８に張り出すバネ係止片２６が一体に形成されている。
【００２３】
他方、押え盤１６の裏面には回動プレート７の前記バネ係止片２６に対向する位置に前記カムプレートの円弧凹溝１８内に挿入されるバネ係止片２７が突設されており、円弧凹溝１８内のバネ係止片２６、２７間にスプリング（図は省略）を入れて係合させることにより、回動プレート７を所望の回動方向に付勢させることができる。
【００２４】
カムプレート６のカム面１１と係止凹部１２、回動プレート７の凸ガイド２０及び摺動駒８’の後端面は好ましくは対称形に形成し、ボックス側面５ａ、５ｂに共通に使用できるようにする。
【００２５】
次に、図１実施例に示す扉開閉機構の作用について説明する。
図１の扉閉鎖状態において、扉４の錠前２８のナンバー操作で端部を手前に引くと、扉４が回動支点９を軸に自転して手前に引かれ、これに伴って扉の第２枢支部１０に枢支されている摺動駒８’が凸ガイド２０に沿って手前に引かれるため、扉４の上端は回動支点９と第２枢支部１０を軸にしてボックスに干渉されることなく所定角度（図では３０°）だけ内側へ自転傾斜するとともに、摺動駒８’の後端がカムプレート６の係止凹部１２との係合から解かれてカム面１１に摺動可能となる。
【００２６】
この状態では図６のように扉４の一端（図では上端）はボックス１の内側に傾斜しているので扉４をさらに内側へ回動させると、摺動駒８’の後端の凹曲面がカムプレート６のカム面１１に沿って摺動する。かくして、扉４と回動プレート７と摺動駒８が一体にボックス１内に公転回動し、扉閉鎖位置から９０°回動したところで回動プレート７の係合プレート２５がカムプレート６の円弧突条１５の端部２４ａに当接して動きを停止され、扉４はボックス１の内壁に沿った収納位置に停止して全開となる。
また、上記と逆の操作で扉４は図１の閉鎖位置に復帰する。
【００２７】
図１の実施例は函体の一端側（前側）に郵便物の投入口２を設け、他端側（後側）取出し開閉口３に扉４を設けたいわゆる前入れ後出しの形態のメイルボックスに本発明の扉開閉機構を適用した場合を示しているが、本発明はこれに限定されるものではなく、後側を閉鎖した前入れ前出しのメイルボックスにも適用することができる。
【００２８】
図８及び図９の実施例はその一例を示すもので、この実施例では扉４と天板３０の間に投入口２の隙間が形成されるように扉４の上部を短く形成する。それ以外の扉４の開閉機構自体は図１の実施例と同様である。
【００２９】
尚、図８のように前入れ前出しのメイルボックスの場合は、好ましくは、扉４の上端縁辺に保護プレート３１を固定又は着脱自在に取り付け、郵便物を投入する際に手指を傷つけないようにしてある。
また、郵便物投入口２となる上部の隙間には開閉プレート３２が設けられている。この開閉プレート３２は扉４が閉鎖位置にあるときは、ばね３３により投入口２を閉鎖する位置に付勢されており、開閉扉４を開放するときは開閉扉４の変位に伴って開閉扉４の上端（保護プレート３１）で開位置に開かれるようになっている。
【００３０】
尚、本発明の扉開閉機構を用いた前入れ前出しのメイルボックスは上記の構造例に限らず、図は省略したが開閉扉自体に投入口を設けても良い。
【００３１】
図１０はカムプレート６と摺動部材８の変形例を示すもので、この実施例のカムプレート６は係止凹部１２に回動支点９を中心とする円弧面３４を形成してある。
他方、摺動部材８は、後部に前記カムプレートｂの係合凹部１２の円弧面３４に摺接係合する円弧状係止片３５と、円弧カム面１１に係合する曲面３６を連設し、前部を開閉扉４の回動支点９と第２枢支部１０に軸着した摺動ブラケット８”で構成されている。
【００３２】
かくして、開閉扉４を図１実施例と同様に、回動支点９を中心にして所定角度回動（自転）させると摺動ブラケット８”の円弧状係止片３５がカムプレート６の円弧面３４面を摺動して係止凹部１２から外れ、摺動ブラケット８”の曲面３６がカムプレート６のカム面１１に係合することにより、開閉扉４の公転回動が可能となる。
尚、図１０の符合３７はカムプレート６の固定部である。
【産業上の利用可能性】
【００３３】
本発明は、従来の蝶番機構とは全く異なり、扉開閉時の前方スペースが少なくてすみ、開閉時の騒音が改善されるので、特に、マンションなどの集合住宅のメールボックスに適している。
【図面の簡単な説明】
【００３４】
【図１】本発明による扉開閉機構を適用したメールボックスの概略縦面図
【図２】カムプレートの平面図
【図３】回動プレートの平面図
【図４】摺動駒の平面図
【図５】押え盤の平面図
【図６】本発明による扉開閉機構の作用説明図
【図７】本発明による扉開閉機構の作用説明図
【図８】本発明の他の実施例による扉開閉機構の作用説明図
【図９】本発明の他の実施例による扉開閉機構の作用説明図
【図１０】本発明のさらに他の実施例によるメールボックスの概略断面
【図１１】図１実施例の部材組付図
【符号の説明】
【００３５】
１…メールボックス
２…郵便物の投入口
３…取出し開閉口
４…開閉扉
５ａ、５ｂ…側板
６…カムプレート
７…回動プレート
８…摺動部材
８’…摺動駒
８”…摺動ブラケット
９…回動支点
１０…枢軸
１１…円弧カム面
１２…係止凹部
１３…回転基部開口部
１４…円形縁
１５…円弧突条
１６…押え盤
１７…係合部
１８…円弧凹溝
１９…ピン
２０…凸ガイド
２１…先端ピン孔
２２…長孔
２３…係着部
２４ａ、２４ｂ…両端部
２５…係合プレート
２６、２７…バネ係止片
２８…錠前
２９…固定部
３０…天板
３１…保護プレート
３２…開閉プレート
３３…ばね
３４…円弧面
３５…円弧状係止片
３６…曲面
３７…固定部
【図１】
2005299231.tif 000003
【図２】
2005299231.tif 000004
【図３】
2005299231.tif 000005
【図４】
2005299231.tif 000006
【図５】
2005299231.tif 000007
【図６】
2005299231.tif 000008
【図７】
2005299231.tif 000009
【図８】
2005299231.tif 000010
【図９】
2005299231.tif 000011
【図１０】
2005299231.tif 000012
【図１１】
2005299231.tif 000013